(57)【要約】【課題】講演に関するデータの送受信を聴講者が利用しているときだけ行い、外部に接続される外部機器に講演資料の表示および講演者の発言の音声を放音させることができる通信装置を提供すること。【解決手段】本発明の通信装置１は、聴講者が通信装置１を使用していない期間、すなわち講演資料を見たり、講演者の発言を聞いたりしているとき以外には、通信装置１は制御部１１によって、電力オフ状態とすることができ、消費電力を低減することができる。また、制御部１１は、接続される映像表示装置４が予め定められたソフトウエアを具備しているか否かを識別し、識別結果に応じた映像データを映像表示装置４に送信するから、映像表示装置４に特別なドライバ、ソフトウエアを別途記憶させることなく、モニタなどに講演資料を表示させることができる。【選択図】図２
2009105562.tif 000002
【特許請求の範囲】
【請求項１】
他の通信端末と無線通信によってデータの送受信を行う通信手段と、
供給される音声データを放音する放音手段を有する外部機器を接続可能な第１の接続端子と、
前記通信手段が受信したデータに含まれる音声データを前記第１の接続端子に供給する音声データ供給手段と、
表示手段を有する外部機器を接続可能な第２の接続端子と、
前記第２の接続端子に表示手段を有する外部機器が接続されると、前記通信手段が受信したデータが映像データに基づいて、前記表示手段の表示内容を制御する表示制御手段と、
装置の各部に電力供給を行う電源と、
前記第２の接続端子に電力供給が可能な外部機器が接続されると、当該電力を前記装置の各部に供給する給電手段と、
前記給電手段が電力を供給すると、または所定の条件を満たすと、前記電源からの電力供給を制限または遮断する電源制御手段と
を具備することを特徴とする通信装置。
【請求項２】
前記通信手段が受信したデータが、ストリーミング形式か否かを識別する識別手段と、
前記識別手段がストリーミング形式として識別したデータ以外のデータを記憶する記憶手段と
をさらに具備する
ことを特徴とする請求項１に記載の通信装置。
【請求項３】
外部の音を収音して音声データを生成する収音手段と、
前記収音手段が生成した音声データの所定の期間について、前記通信手段に送信させる送信制御手段と
をさらに具備する
ことを特徴とする請求項１または請求項２に記載の通信装置。
【請求項４】
前記電源は、充電可能な２次電池であって、
前記給電手段は、電力を供給するときに、前記電源の２次電池に対しても電力を供給して、当該２次電池の充電を行う
ことを特徴とする請求項１乃至請求項３のいずれかに記載の通信装置。
【請求項５】
供給される映像データに基づいて表示を行う表示部と、
前記第２の接続端子に外部機器が接続されていないときに、前記表示部に前記通信手段が受信したデータに含まれる映像データを供給する映像データ供給手段と
をさらに具備する
ことを特徴とする請求項１乃至請求項４いずれかに記載の通信装置。
【請求項６】
前記表示制御手段は、前記第２の接続端子に接続された外部機器内のソフトウエアのうち、当該外部機器に入力される映像データに基づいて当該外部機器の表示手段に表示可能なソフトウエアを当該外部機器に起動させるとともに、前記通信手段が受信したデータ内の映像データを前記第２の接続端子を介して当該外部機器に出力することにより、当該表示手段の表示内容を制御する
ことを特徴とする請求項１乃至請求項５のいずれかに記載の通信装置。
【請求項７】
前記電源制御手段が電力供給を制限または遮断する所定の条件は、前記第１の接続端子に前記放音手段を有する外部機器が接続されていないことである
ことを特徴とする請求項１乃至請求項６のいずれかに記載の通信装置。
【請求項８】
前記第２の接続端子に接続可能な接続キャップをさらに具備し、
前記電源制御手段が電力供給を制限または遮断する所定の条件は、前記第２の接続端子に前記接続キャップが接続されていることである
ことを特徴とする請求項１乃至請求項７のいずれかに記載の通信装置。
【発明の詳細な説明】
【技術分野】
【０００１】
本発明は、広い会場における講演において、聴講者に対して講演資料を送信する技術に関する。
【背景技術】
【０００２】
講演会などにおいて、一般的には、講演者はプロジェクタなどによりスクリーンに映し出された講演資料を聴講者に示しながら、その内容についての説明を行う。しかし、講演を行う会場が広い場合などは、講演者やスクリーンから遠い場所にいる聴講者は、スクリーンに映し出された講演資料を視認することが困難になるとともに、講演内容を聞き取ることも困難になる。このような状況を改善するために、ビデオカメラによってスクリーンを撮影した映像と、マイクによって収音した音声とを、聴講者の手元にあるモニタとヘッドホンに赤外線通信によって送信する技術が、例えば特許文献１に開示されている。
【特許文献１】特開２００４−３１２２１４号公報
【発明の開示】
【発明が解決しようとする課題】
【０００３】
特許文献１においては、聴講者の手元において、講演資料や講演の音声を確認することができるが、赤外線通信を行うための赤外線受信器、モニタ、ヘッドホンなどが互いに接続されて予め設置されているため、これらの位置を変更することは容易でない。また、聴講者の最大人数に応じて設置しておく必要があり、聴講者の人数が少ない場合は、不要となる赤外線受信器等が出てくるため、それらは無駄に稼動することになっていた。
【０００４】
本発明は、上述の事情に鑑みてなされたものであり、講演に関するデータの送受信を聴講者が利用しているときだけ行い、外部に接続される外部機器に講演資料の表示および講演者の発言の音声を放音させることができる通信装置を提供することを目的とする。
【課題を解決するための手段】
【０００５】
上述の課題を解決するため、本発明は、他の通信端末と無線通信によってデータの送受信を行う通信手段と、供給される音声データを放音する放音手段を有する外部機器を接続可能な第１の接続端子と、前記通信手段が受信したデータに含まれる音声データを前記第１の接続端子に供給する音声データ供給手段と、表示手段を有する外部機器を接続可能な第２の接続端子と、前記第２の接続端子に表示手段を有する外部機器が接続されると、前記通信手段が受信したデータが映像データに基づいて、前記表示手段の表示内容を制御する表示制御手段と、装置の各部に電力供給を行う電源と、前記第２の接続端子に電力供給が可能な外部機器が接続されると、当該電力を前記装置の各部に供給する給電手段と、前記給電手段が電力を供給すると、または所定の条件を満たすと、前記電源からの電力供給を制限または遮断する電源制御手段と具備することを特徴とする通信装置を提供する。
【０００６】
また、別の好ましい態様において、前記通信手段が受信したデータが、ストリーミング形式か否かを識別する識別手段と、前記識別手段がストリーミング形式として識別したデータ以外のデータを記憶する記憶手段とをさらに具備してもよい。
【０００７】
また、別の好ましい態様において、外部の音を収音して音声データを生成する収音手段と、前記収音手段が生成した音声データの所定の期間について、前記通信手段に送信させる送信制御手段とをさらに具備してもよい。
【０００８】
また、別の好ましい態様において、前記電源は、充電可能な２次電池であって、前記給電手段は、電力を供給するときに、前記電源の２次電池に対しても電力を供給して、当該２次電池の充電を行なってもよい。
【０００９】
また、別の好ましい態様において、供給される映像データに基づいて表示を行う表示部と、前記第２の接続端子に外部機器が接続されていないときに、前記表示部に前記通信手段が受信したデータに含まれる映像データを供給する映像データ供給手段とをさらに具備してもよい。
【００１０】
また、別の好ましい態様において、前記表示制御手段は、前記第２の接続端子に接続された外部機器内のソフトウエアのうち、当該外部機器に入力される映像データに基づいて当該外部機器の表示手段に表示可能なソフトウエアを当該外部機器に起動させるとともに、前記通信手段が受信したデータ内の映像データを前記第２の接続端子を介して当該外部機器に出力することにより、当該表示手段の表示内容を制御してもよい。
【００１１】
また、別の好ましい態様において、前記電源制御手段が電力供給を制限または遮断する所定の条件は、前記第１の接続端子に前記放音手段を有する外部機器が接続されていないことであってもよい。
【００１２】
また、別の好ましい態様において、前記第２の接続端子に接続可能な接続キャップをさらに具備し、前記電源制御手段が電力供給を制限または遮断する所定の条件は、前記第２の接続端子に前記接続キャップが接続されていることであってもよい。
【発明の効果】
【００１３】
本発明によれば、講演に関するデータの送受信を聴講者が利用しているときだけ行い、外部に接続される外部機器に講演資料の表示および講演者の発言の音声を放音させることができる通信装置を提供することができる。
【発明を実施するための最良の形態】
【００１４】
以下、本発明の一実施形態について説明する。
【００１５】
＜実施形態＞
本発明の実施形態に係る通信装置１は、図１に示すように、スクリーンなどに表示される講演資料などを示す映像データと講演者の発言などの音声を示す音声データなどを含む出力データをデータ通信端末２から無線通信によって受信する。そして、通信装置１は、受信した出力データのうち、音声データを放音装置３に出力して講演者の発言などの音声を放音させ、映像データについては映像表示装置４に出力して講演資料などを表示させる。
【００１６】
通信装置１の構成について、図２、図３を用いて説明する。図２は、通信装置１のハードウエアの構成を示すブロック図である。また、図３は通信装置１の外観を示す外観図である。
【００１７】
制御部１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを有し、ＣＰＵは、ＲＯＭに記憶されたプログラムをＲＡＭにロードして実行する。これにより、制御部１１は、バス１０を介して、通信装置の各部について制御する。また、ＲＡＭは、後述する通信部１６において受信した各データのバッファとしても機能する。さらに、後述するように、外部接続される映像表示装置４の制御も行う。
【００１８】
記憶部１２は、不揮発性メモリなどの記憶手段であって、制御部１１の制御によって、通信部１６において受信した各データのうち、保存できないストリーミング形式のデータなどを除いたデータを記憶する。
【００１９】
電源部１３は、電池などの電源を有し、この電源から電力を取り出して、通信装置１の各部に電力の供給を行う。電源部１３は、制御部１１の制御によって、通信装置１の各部への電力の供給を制限したり、遮断したりする。電力の供給の制限、遮断の条件については、後述する。
【００２０】
表示部１４は、液晶ディスプレイなどの表示手段であって、制御部１１の制御によって表示を行う。この表示部１４には、例えば、図３に示すように、通信部１６において受信したデータが複数チャンネルのときに、後述する操作部１５の操作によって選択されたチャンネルの表示が行われるほか、そのチャンネルの内容（図３においては、ＪＰＮ：日本語を示す）、無線通信用の電波の強度、電源部１３の電池の残量などの表示が行われる。
【００２１】
操作部１５は、通信部１６が受信したデータが複数チャンネルの場合に、いずれかのチャンネルを選択する選択ボタンを有する。この選択ボタンの操作内容を示す情報は、制御部１１に出力され、選択ボタンの操作によって選択されたチャンネルは、上述のように表示部１４に表示される。
【００２２】
通信部１６は、データ通信端末２との間でデータの送受信を無線通信によって行う通信手段である。本実施形態においては、データ通信端末２から受信するデータは、ストリーミング形式の映像データと音声データが複数チャンネルで構成される出力データある。また、通信装置１から送信するデータは、後述する音声入力部１７において生成されたストリーミング形式の音声データのうち、制御部１１によって制御された所定の期間の音声データである。このとき、通信部１６は、通信装置１を識別する情報などとともに送信することにより、同時に用いられている他の通信装置１との識別を可能とすることもできる。なお、制御部１１によって制御される所定の期間については、聴講者が操作部１５を操作することにより決定した期間、音声データが所定の音量レベルを超えていると制御部１１が判断した期間、データ通信端末２から送信されるデータによって指定される期間などどのような期間であってもよい。
【００２３】
音声入力部１７は、外部の音を収音するマイクロホンを有し、収音した音を示すストリーミング形式の音声データを生成する。
【００２４】
音声出力部１８は、外部機器と接続する接続端子であって、通信部１６において受信した出力データのうち、操作部１５において選択されたチャンネルの音声データが、制御部１１の制御によって供給される。そして、音声出力部１８は、接続端子に外部機器である放音装置３が接続される、その音声データを放音装置３に供給する。放音装置３は、入力される音声データを放音するヘッドホン、イヤホン、スピーカなどである。また、音声出力部１８に外部端子に放音装置３が接続されているか否かは、制御部１１によって認識される。
【００２５】
インターフェイス１９は、外部機器と接続して、通信装置１と接続された外部機器との間で、様々なデータの送受信をするための接続端子であって、例えば、ＵＳＢ（Ｕｎｉｖｅｒｓａｌ  Ｓｅｒｉａｌ  Ｂｕｓ）端子などである。外部機器としてモニタを有する映像表示装置４がインターフェイス１９の接続端子に接続されると、制御部１１は、インターフェイス１９に外部機器が接続されたことを認識し、その外部機器がどのような機器であるかを識別する。
【００２６】
具体的には、外部機器として接続される映像表示装置４が、予め定められたソフトウエアを具備しているか否か、通信装置１に対して電力供給が可能であるか否（インターフェイス１９が電力供給に対応しているか否かも含む）か、を識別する。予め定められたソフトウエアとは、通信部１６において受信した出力データに含まれる映像データを再生して、モニタに表示させることができる機能を有したブラウザなどのソフトウエアである。以下、制御部１１の識別に対する制御について説明する。
【００２７】
まず、制御部１１の識別のうち、ソフトウエアの具備の有無の識別に対して行う処理について説明する。制御部１１は、映像表示装置４が、予め定められたソフトウエアを具備していると識別すると、映像表示装置４に対して、そのソフトウエアを起動させる制御信号を送信して、映像表示装置４にそのソフトウエアを起動させる。その後、制御部１１は、通信部１６において受信した出力データのうち、操作部１５において選択されたチャンネルの映像データを映像表示装置４に送信する。これにより、映像表示装置４は、通信装置１から受信した映像データに基づく映像をモニタに表示する。
【００２８】
一方、制御部１１は、映像表示装置４が、予め定められたソフトウエアを具備していないと識別すると、通信部１６において受信した出力データのうち、操作部１５において選択されたチャンネルの映像データを、映像表示装置４のモニタに直接表示可能な映像信号に変換して送信して、モニタに当該映像信号に係る映像を表示させる。
【００２９】
次に、制御部１１の識別のうち、電力供給の有無の識別に対して行う処理について説明する。制御部１１は、映像表示装置４が通信装置１に対して電力供給が可能であると識別すると、電源部１３に対して、通信装置１の各部への電力供給を制限、または遮断するように制御する。このように、電源部１３の電力供給を制限、または遮断している制御状態について、以下、電力オフ状態という。そして、制御部１１は、通信装置１の各部への電力の不足分は、映像表示装置４からの電力供給により行うように制御する。このとき、電源部１３の電池が充電可能な２次電池である場合には、映像表示装置４からの電力により充電を行なうようにしてもよい。
【００３０】
一方、制御部１１は、映像表示装置４が通信装置１に対して電力供給が不可能であると識別すると、電源部１３から通信装置１の各部へ電力供給を行うように制御する。このように、電力オフ状態でない場合、すなわち通信装置１の各部への電力供給が電源部１３によって行われている制御状態について、以下、電力オン状態という。
【００３１】
ここで、インターフェイス１９に映像表示装置４が接続されていないときに、制御部１１の電源部１３への制御について説明する。インターフェイス１９に映像表示装置４が接続されていない場合には、通信装置１は、聴講者が利用していない状態であるか、単に映像表示を利用していない状態であるかのいずれかである。このため、聴講者が利用していない状態である場合には、電源部１３の電池の消耗を抑えるため、制御部１１は電力オフ状態に制御し、聴講者が利用しているが、単に映像表示を利用していない場合には、制御部１１は電力オン状態に制御する。
【００３２】
本実施形態においては、制御部１１がこの聴講者が利用していない状態を判断する所定の条件として、音声出力部１８に外部機器である放音装置３が接続されているか否かを認識することにより判断する。すなわち、制御部１１は、放音装置３が接続されていないと認識すると、映像も音声も利用していない状態であると判断して、電力オフ状態に制御する。例えば、記憶部１２、表示部１４、音声入力部１７などは電力供給を遮断し、制御部１１などは、聴講者の利用開始に伴い、電力供給を再開するために必要な最低限の電力に制限して供給しておく。
【００３３】
一方、上記以外の場合、すなわち放音装置３が接続されていると認識すると、単に映像表示を利用していない状態であると判断して、制御部１１は、電源オン状態に制御する。なお、聴講者が利用していない状態を判断する所定の条件は、上記態様に限らず、操作部１５に電力オン状態と電力オフ状態とを切り替えるスイッチを設け、聴講者がこのスイッチを切り替えることを条件としてもよいし、無線通信の電波の受信レベルが所定レベル以下になったことを条件としてもよい。また、通信装置１が、図３に示すような外観の場合、インターフェイス１９に接続して蓋をする接続キャップを設けて、接続キャップをつけている場合には電力オフ状態、接続キャップがついていない場合に電力オン状態と切り替わるようにしてもよい。このような、制御部１１が制御する電力オン状態と電力オフ状態と放音装置３の接続関係、映像表示装置４の接続関係および電力供給関係についてまとめた表を図４に示す。図４に示すオン、オフは、それぞれ電力オン状態、電力オフ状態を示している。
【００３４】
以上が、通信装置１の構成の説明である。次に、通信装置１の動作について説明する。
【００３５】
講演資料を用いて発言を行う講演者は、データ通信端末２を使用し、聴講者は、通信装置１を使用するものとする。講演者は、データ通信端末２を使用して、出力データを通信装置１に送信する。この出力データは２つのチャンネルを有し、ＣＨ１は、講演者の手元のスクリーンに表示させている講演資料を示すストリーミング形式の映像データと、講演者の発言の音声を示す音声データとを含むデータ、ＣＨ２は、ＣＨ１における講演資料が英語で作成された講演資料になっている映像データと、講演者の発言を英語に同時通訳した音声を示す音声データとを含むデータである。
【００３６】
聴講者が利用する通信装置１は、最初は電力オフ状態となっている。まず、聴講者は、講演者の音声のみを聴きたい場合、放音装置３としてヘッドホンを通信装置１の音声出力部１８に接続する。これにより、制御部１１は、通信装置１を電力オフ状態から電力オン状態に制御する。そして、通信部１６は、データ通信端末２から送信された出力データを受信する。
【００３７】
聴講者は、操作部１５を操作して聞きたいチャンネルを選択すると、その選択したチャンネルに応じた音声データが制御部１１によって音声出力部１８に供給され、例えば、ＣＨ２を選択した場合には、講演者の発言が英語に同時通訳された音声を聞くことができる。そして、聴講終了後、放音装置３と通信装置１の接続を解除すると、通信装置１は、再び制御部によって電力オフ状態に制御される。
【００３８】
次に、聴講者が、手元の映像表示装置４で、スクリーンに表示されている講演資料を確認したい場合について説明する。聴講者は、通信装置１のインターフェイス１９に映像表示装置４を接続する。接続すると、通信装置１の制御部１１は、映像表示装置４が、予め定められたソフトウエアを具備しているか否か、通信装置１に対して電力供給が可能であるか否か、を識別する。ここでは、制御部１１は、映像表示装置４は、予め定められたソフトウエアを具備し、電力供給が可能であると識別するものとする。
【００３９】
制御部１１は、予め定められたソフトウエアを映像表示装置４に起動させるとともに、制御部１１は、電力オフ状態のまま、映像表示装置４から電力供給を受けて、通信装置１の各部にその電力を供給する。
【００４０】
そして、通信装置１は、聴講者が操作部１５を操作して選択したチャンネルの映像データを、インターフェイス１９を介して映像表示装置４に送信する。これにより、映像表示装置４は、起動されているソフトウエアと受信する映像データとに基づいて、モニタに表示を行う。例えば、ＣＨ１を選択した場合には、講演者の手元のスクリーンに表示されている講演資料と同様な表示が映像表示装置４のモニタに表示されることになる。なお、映像表示装置４に起動させたソフトウエアが音声出力にも対応し、映像表示装置４が放音手段を有している場合には、通信装置１は、制御部１１に音声データについても映像表示装置４に送信させ、映像表示装置４から講演者の発言の音声についても放音させるようにしてもよい。
【００４１】
聴講者が、通信装置１に放音装置３を接続すると、音声データが供給される放音装置３から音声を聴くことができるが、映像表示装置４から電力供給を受けているため、制御部１１を電力オン状態にすることはなく、電力オフ状態を維持する。
【００４２】
そして、聴講者が、映像表示装置４と通信装置１との接続を解除すると、放音装置３のみが接続された状態となるから、制御部１１は電力オン状態に制御する。そして、放音装置３の接続も解除すると、再び制御部１１は電力オフ状態に制御する。なお、放音装置３との接続を解除してから、映像表示装置４との接続を解除する場合には、電力オフ状態のままとなる。
【００４３】
このように、通信装置１は、聴講者が通信装置１を使用していない期間、すなわち講演資料を見たり、講演者の発言を聞いたりしているとき以外には、通信装置１は制御部１１によって、電源部１３に対して、通信装置１の各部への電力供給を制限、または遮断するように制御して電力オフ状態とすることができ、消費電力を低減することができる。また、制御部１１は、接続される映像表示装置４が予め定められたソフトウエアを具備しているか否かを識別し、識別結果に応じた映像データを映像表示装置４に送信するから、映像表示装置４に特別なドライバ、ソフトウエアを別途記憶させることなく、モニタなどに講演資料を表示させることができる。また、映像データはストリーミング形式のデータであるから、映像表示装置４に記憶されることがなく、セキュリティを高くすることがある。
【００４４】
以上、本発明の実施形態について説明したが、本発明は以下のように、さまざまな態様で実施可能である。
【００４５】
＜変形例１＞
上述した実施形態においては、通信装置１は図３に示すような外観であって、表示部１４に表示される内容は限られたものであったが、図５に示すように、表示部１４を大きくして、講演資料などを表示できるようにしてもよい。この場合は、制御部１１は、通信部１６が受信した出力データに含まれる映像データを表示部１４に出力させるように制御すればよい。映像表示装置４が通信装置１に接続されている場合には、表示部１４には、映像表示装置４に送信する映像データと同じチャンネルの映像データが送信されるようにしてもよいし、異なるチャンネルの映像データが送信されるようにしてもよく、これは操作部１５を操作して設定、または予め設定しておけばよい。
【００４６】
また、映像表示装置４が通信装置１に接続されている場合には、映像データを表示部１４に送信せず、映像表示装置４が通信装置１に接続されていない場合にのみ、映像データを表示部１４に出力させるようにしてもよい。このような設定は、操作部１５を操作して設定、または予め設定しておけばよい。また、映像表示装置４が通信装置１に接続されず、放音装置３が接続されていない場合には、電力オフ状態になっているが、表示部１４への電力供給は行われるようにしておけばよく、操作部１５を操作するなどして表示部１４への映像データの出力を停止したときには、制御部１１は、表示部１４への電力供給を制限、または遮断するように制御すればよい。このようにすれば、映像表示装置４が手元にない場合においても、手元の通信装置１の表示部１４によって講演資料などを確認することができる。
【００４７】
＜変形例２＞
上述した実施形態においては、通信部１６が受信する出力データは、ストリーミング形式の映像データおよび音声データであったが、それ以外のデータが含まれていてもよい。例えば、講演資料のうち、聴講者がデータを保存して持ち帰ってもよいページがある場合には、データ通信端末２は、そのページの内容を示す画像データをファイル単位で出力データに含ませ、その出力データを送信する。一方、通信部１６は、その出力データを受信し、制御部１１が出力データにストリーミング形式以外のデータである画像データを検出した場合には、出力データに含まれる画像データを記憶部１２に記憶させるようにしてもよい。なお、記憶部１２に記憶させる前に、制御部１１のＲＡＭに記憶しておき、聴講者が操作部１５を操作して記憶部１２に記憶させるかどうかを決定させてもよい。
【００４８】
また、図６に示すように、制御部１１が画像データを検出して、ＲＡＭに記憶させた後に、出力データ（図６（Ａ）参照）に映像データが含まれていない場合には、制御部１１は、その画像データに基づいてその画像データが示す画像を表示し続けるストリーミング形式の映像データを生成して、図６（Ｂ）に示すように、映像表示装置４に出力するようにしてもよい。このようにすれば、通信部１６が受信した出力データに映像データが含まれていない期間があっても、画像データを受信していれば、この画像データに基づいた映像を映像表示装置４に表示させることができる。なお、制御部１１が画像データを検出して、ＲＡＭに記憶させた後に、出力データに映像データが含まれている場合は、出力データに含まれる映像データと画像データとに基づいて、新たに映像データを生成するようにしてもよい。例えば、出力データに含まれる映像データに係る映像の一部に画像データに係る画像をスーパーインポーズしてもよいし、表示画面を２分割するようにして表示させるようにしてもよい。
【００４９】
＜変形例３＞
上述した実施形態においては、通信部１６が送信するデータは、音声入力部１７において生成された音声データであったが、操作部１５において操作した内容を示すデータを送信するようにしてもよい。例えば、講演者が所定の通信装置１を使用する聴講者に対して、質問を投げかけた場合に、聴講者が通信装置１の操作部１５を操作したり、音声入力部１７を用いたりして、その返答をすると、その返答内容または操作内容を示すデータ、音声入力部１７において生成された音声データが送信されるようにすればよい。ここで、講演者の質問に対する返答の要求は、講演者がデータ通信端末２を操作して、返答できる期間を示す情報とともに出力データを通じて行う。これにより、通信装置１は、返答できる期間を認識し、この期間に行われた処理に対する各データが通信部１６から送信されるようにすればよい。このようにすると、講演者と聴講者との間で双方向のやりとりを行うことができる。
【００５０】
＜変形例４＞
上述した実施形態、変形例において、通信装置１の各部への設定内容については、操作部１５の操作などにより、その内容を設定するようにしていたが、設定内容を変更可能な外部設定機器に対して、インターフェイス１９を介して通信装置１を接続して、この外部設定機器に設定を変更させるようにしてもよい。また、通信部１６を介して無線通信によって設定を変更させるようにしてもよい。このような設定を記憶する領域は、記憶部１２に設けてもよいし、制御部１１に設けてもよい。このように、設定内容の変更は様々な態様で行うことができる。
【図面の簡単な説明】
【００５１】
【図１】実施形態に係る通信装置を用いたシステムの構成を示すブロック図である。
【図２】実施形態に係る通信装置のハードウエアの構成を示すブロック図である。
【図３】実施形態に係る通信装置の外観を示す外観図である。
【図４】実施形態に係る電力供給制御の条件を示す説明図である。
【図５】変形例１に係る通信装置の外観を示す外観図である。
【図６】変形例２に係るデータ出力装置に出力データについての説明図である。
【符号の説明】
【００５２】
１…通信装置、２…データ通信端末、３…放音装置、４…映像表示装置、１１…制御部、１２…記憶部、１３…電源部、１４…表示部、１５…操作部、１６…通信部、１７…音声入力部、１８…音声出力部、１９…インターフェイス
【図１】
2009105562.tif 000003
【図２】
2009105562.tif 000004
【図３】
2009105562.tif 000005
【図４】
2009105562.tif 000006
【図５】
2009105562.tif 000007
【図６】
2009105562.tif 000008